(57)【要約】【課題】  二つの塗布体により被塗布対象物となるマツゲ、毛髪等を挟み、塗布体に付着させた塗布液を均一に、同方向に満足しうる量を塗布することができると共に、シール性能、携帯性に優れる化粧料塗布具及び塗布容器を提供する。【解決手段】  化粧料塗布本体部１０と、該化粧料塗布本体部１０に取り付けられた先端に塗布体を有する固定棒２０と、上記化粧料本体部１０内の固定軸１５に取り付けられた先端に塗布体を有する可動棒３０と、上記化粧料塗布本体部１０に取り付けられると共に、可動棒３０の他端に連結された操作ボタン４０と、上記固定棒２０と可動棒３０を閉じる弾性部材５０とを有し、上記操作ボタン４０の操作と弾性部材５０により可動棒３０が固定棒２０に対して開閉自在になると共に、上記可動棒３０及び固定棒２０の先端に有する各塗布体３２，２２間で塗布対象物を挟み込む構成としたことを特徴とする化粧料塗布具Ａ。【選択図】図１
2007020793.tif 000002
【特許請求の範囲】
【請求項１】
化粧料塗布本体部と、該化粧料塗布本体部に取り付けられた先端に塗布体を有する二本の塗布棒と、少なくとも一本の塗布棒の他端に連結された操作ボタンと、上記二本の塗布棒を閉じる弾性部材とを有し、上記操作ボタンの操作と弾性部材により塗布棒が開閉自在になると共に、上記各塗布棒の先端に有する各塗布体間で塗布対象物を挟み込む構成としたことを特徴とする化粧料塗布具。
【請求項２】
一方の塗布棒が固定棒であり、他方が可動棒である請求項１記載の化粧料塗布具。
【請求項３】
二本の塗布棒が共に可動棒である請求項１記載の化粧料塗布具。
【請求項４】
二本の塗布棒の先端に設けられた各塗布体がブラシ部材から構成される請求項１〜３の何れか一つに記載の化粧料塗布具。
【請求項５】
二本の塗布棒の先端に設けられた各塗布体の一方がブラシ部材から構成され、他方が凹凸部材から構成される請求項１〜３の何れか一つに記載の化粧料塗布具。
【請求項６】
二本の塗布棒の先端に設けられた各塗布体が凹凸部材から構成される請求項１〜３の何れか一つに記載の化粧料塗布具。
【請求項７】
二本の塗布棒は、操作ボタンの非操作時には断面が円形形状に組み合わさる請求項１〜６の何れか一つに記載の化粧料塗布具。
【請求項８】
化粧料を収容する容器本体と、請求項１〜７の何れか一つに記載の化粧料塗布具とを備え、該化粧料塗布具の化粧料本体部に設けられた蓋部を容器本体の開口部に取り付け自在にしてなることを特徴とする塗布容器。
【請求項９】
容器本体内には、各塗布棒の先端に設けられた各塗布体を容器本体から引き出す際に各塗布体に付着している塗布液量を調節する筒状のしごき体を有する請求項８記載の塗布容器。
【発明の詳細な説明】
【技術分野】
【０００１】
本発明は、マスカラ等の液状化粧料や染毛剤等の塗布に好適な化粧料塗布具及び塗布容器に関する。
【背景技術】
【０００２】
従来より、マスカラなどの塗布に好適な化粧料塗布具としては、数多くの構造のものが知られている。一般に、マスカラは、キャップに付与されている１本の棒の先端にブラシ部が付いており、これに化粧液を付着させた後、マツゲに化粧液を付着させるように作られている。
【０００３】
また、マスカラ液の付着度合いとカールアップ度合いをコントロールすることのできるマスカラ塗布具としては、例えば、図８（ａ）に示すように、ブラシ毛１ａを芯部材１ｂに取り付けることにより形成されるブラシ部１ｃを操作部材１ｄの軸部１ｅに保持せしめたマスカラ塗布具１において、芯部材１ｂを弧状とすることにより、ブラシ部１ｃを弧状に形成せしめ、更にブラシ部１ｃの先端に前記ブラシ毛より細い繊維パイルで構成した植毛ブラシ部１ｆを設けたことを特徴とするマスカラ塗布具１（例えば、特許文献１参照）や、図８（ｂ）に示すように、捕捉された毛材２ａが芯材２ｂに対して半径方向に配置されている第１の区分２ｃと、ロッド２ｄ内で固定された第２の区分２ｅとを有するねじれた芯材２ｅを備えた、特にマスカラのための化粧用塗布用具２（例えば、特許文献２参照）が知られている。
【０００４】
しかしながら、このような化粧料塗布具は、マツゲに化粧液を付着させるときはマツゲを上げる方向と下げる方向の作業を別々に行いマツゲ全面を覆うように塗布している。この場合、上方向または下方向への片方からの作業となるためマツゲが逃げやすく全体を覆うように塗布することが難しい点に課題がある。また、何度もブラシを塗布液を収容した容器に入れ化粧液を供給する必要がある。
更に、マスカラの化粧液は、一般的に粘度が高いためマツゲに塗布したときにマツゲ同士が粘度の高い化粧液でくっついた場合、ブラシで一本一本を梳くことに困難性がある。
【０００５】
また、最近では、マツゲの長さを強調するべくフィラー（繊維）が化粧液に混合されているが、一本のブラシでは満足の行く長さに調整し難いものである。更に、従来の塗布具では、マツゲと同方向へ梳くことは難しいものである。
化粧液塗布後は、ビューラー等にてマツゲにカール（下から上方向へ弧を描く）を行う必要があるが時間を要し、マツゲが引っ張られ傷みを伴うことなどがあるのが現状である。
【０００６】
一方、図９（ａ）及び（ｂ）に示すように、基端部を互いに回動自在に連結して先端部が互いに閉合又は開離自在とした一対のアーム３ａ，３ｂを備え、その一方のアーム３ａに化粧料貯蔵体３ｃを内蔵して化粧料を供給する複数の塗布芯３ｄ…を突設し、更に、他方のアーム３ｂの内面にクシ歯３ｅを突設したことを特徴とする頭髪用化粧料塗布具３（例えば、本願出願人による特許文献３参照）が知られている。
この頭髪用化粧料塗布具３は、化粧液を貯蔵体３ｃに保存した状態にて、その貯蔵体３ｃに塗布芯３ｄ…を差し込み塗布芯３ｄ…に含浸した化粧液を毛髪に塗布する仕組みとなっている。毛髪への塗布方法は、塗布芯３ｄ…を差し込んだものとクシ歯にて毛髪を挟み込み塗布を行うものである。
【０００７】
しかしながら、この頭髪用化粧料塗布具３では、化粧液は貯蔵体３ｃより塗布芯３ｄに吸い上がってくるため期待される塗布量を得ることが難しく、また、キャップ等にての収納が困難であり、シール性能を満足することができず、更に、小型化・携帯化、例えば、マスカラ用に適用しようとする場合、貯蔵体への化粧液の保存量が期待される程の量が得られないため小型化には技術上の難点があるなどの課題がある。
【特許文献１】特開２００５−８７６３５号公報（特許請求の範囲、実施例等）
【特許文献２】特開２００５−７４２２３号公報（特許請求の範囲、実施例等）
【特許文献３】実開平４−１３５２０８号公報（請求の範囲、考案の詳細な説明等）
【発明の開示】
【発明が解決しようとする課題】
【０００８】
本発明は、上記従来技術の課題及び現状等に鑑み、これを解消しようとするものであり、二つの塗布体により被塗布対象物となるマツゲ、毛髪等を挟み、塗布体に付着させた塗布液を均一に、同方向に満足しうる量を塗布することができると共に、シール性能、携帯性に優れる化粧料塗布具及び塗布容器を提供することを目的とする。
【課題を解決するための手段】
【０００９】
本発明者らは、上記従来の課題等を解決するために、鋭意検討した結果、特定構造となる化粧料塗布本体部に、塗布体を有する二本の塗布棒を取り付けると共に、操作ボタンの操作により二本の塗布棒を開閉自在とすることなどにより、目的の化粧料塗布具が得られることを見い出すと共に、この特定構造となる化粧料塗布具を塗布液が収容された容器本体に取り付け自在とすることにより、目的の塗布容器が得られることを見い出し、本発明を完成するに至ったのである。
【００１０】
すなわち、本発明は、次の（１）〜（９）に存する。
（１）  化粧料塗布本体部と、該化粧料塗布本体部に取り付けられた先端に塗布体を有する二本の塗布棒と、少なくとも一本の塗布棒の他端に連結された操作ボタンと、上記二本の塗布棒を閉じる弾性部材とを有し、上記操作ボタンの操作と弾性部材により塗布棒が開閉自在になると共に、上記各塗布棒の先端に有する各塗布体間で塗布対象物を挟み込む構成としたことを特徴とする化粧料塗布具。
（２）  一方の塗布棒が固定棒であり、他方が可動棒である上記（１）記載の化粧料塗布具。
（３）  二本の塗布棒が共に可動棒である上記（１）記載の化粧料塗布具。
（４）  二本の塗布棒の先端に設けられた各塗布体がブラシ部材から構成される上記（１）〜（３）の何れか一つに記載の化粧料塗布具。
（５）  二本の塗布棒の先端に設けられた各塗布体の一方がブラシ部材から構成され、他方が凹凸部材から構成される上記（１）〜（３）の何れか一つに記載の化粧料塗布具。
（６）  二本の塗布棒の先端に設けられた各塗布体が凹凸部材から構成される上記（１）〜（３）の何れか一つに記載の化粧料塗布具。
（７）  二本の塗布棒は、操作ボタンの非操作時には断面が円形形状に組み合わさる上記（１）〜（６）の何れか一つに記載の化粧料塗布具。
（８）  化粧料を収容する容器本体と、上記（１）〜（７）の何れか一つに記載の化粧料塗布具とを備え、該化粧料塗布具の化粧料本体部に設けられた蓋部を容器本体の開口部に取り付け自在にしてなることを特徴とする塗布容器。
（９）  容器本体内には、各塗布棒の先端に設けられた各塗布体を容器本体から引き出す際に各塗布体に付着している塗布液量を調節する筒状のしごき体を有する上記（８）記載の塗布容器。
【発明の効果】
【００１１】
請求項１〜３に記載の発明によれば、二つの塗布体により塗布対象物となるマツゲ、毛髪等を挟み込むため、挟み込んだ時点から塗布することができると共に、梳くときに化粧料はダマにならずに梳くことができ、しかも、全体に均一な化粧料を同一方向へ満足しうる量を塗布することができる化粧料塗布具が提供される。
請求項４〜６に記載の発明によれば、更に、二つの塗布体の形状をブラシ部材や凹凸部材から構成することにより、カールを掛けることができるなどの効果を発揮する化粧料塗布具が提供される。
請求項７に記載の発明によれば、更に、使用性、小型化に優れる化粧料塗布具が提供される。
請求項８に記載の発明によれば、優れた塗布性能を有する化粧料塗布具を備えると共に、携帯性に優れる塗布容器が提供される。
請求項９に記載の発明によれば、更に、塗布体に適量に付着した化粧料を容器本体からスムーズに引き上げることができる塗布容器が提供される。
【発明を実施するための最良の形態】
【００１２】
以下に、本発明の実施形態を図面を参照しながら詳しく説明する。
図１〜図２は、本発明の化粧料塗布具の実施形態の一例を示すものであり、図１は、二本の塗布棒において、一方の塗布棒を固定棒とし、他方を可動棒とした化粧料塗布具の操作時の縦断面図、図２（ａ）は、塗布体の一例を示す部分横断面図、（ｂ）は操作ボタン非操作時の固定棒と可動棒の状態を示す横断面図、（ｃ）〜（ｅ）は、非操作時の固定棒と可動棒の他の形態を示す横断面図である。
本実施形態の化粧料塗布具Ａは、二本の塗布棒のうち、一方の塗布棒を固定棒とし、他方を可動棒としたものであり、図１に示すように、円筒状の化粧料塗布本体部１０と、該化粧料塗布本体部１０に取り付けられた先端に塗布体を有する固定棒２０と、上記化粧料本体部１０内の固定軸１５に取り付けられた先端に塗布体を有する可動棒３０と、上記化粧料塗布本体部１０に取り付けられると共に、可動棒３０の他端に連結された操作ボタン４０と、上記固定棒２０と可動棒３０を閉じる弾性部材５０とを有する構成となっている。
【００１３】
化粧料塗布本体部１０は、筒状体から構成され、内部には、固定棒２０の筒状基端部２１を保持する保持部１１が形成されると共に、後方側上方部には操作ボタン４０を操作するための操作孔１２が形成されている。また、化粧料塗布本体部１０の後方側にはキャップ体１３が嵌合されている。
固定棒２０は、後端側に筒状基端部２１を有すると共に、先端に塗布体２２が取り付けられている。本実施形態の塗布体２２は、ブラシ部材２２ａから構成されると共に、棒状の取付部材２２ｂを有し、取付部材２２ｂを固定棒２０の先端内部に形成される取付孔２３に圧入又は接着などにより固着される構造となっている。
【００１４】
可動棒３０は、後端側に可動部材３１を有すると共に、先端に塗布体３２が取り付けられている。本実施形態の塗布体３２は、ブラシ部材３２ａから構成されると共に、棒状の取付部材３２ｂを有し、取付部材３２ｂを可動棒３０の先端内部に形成される取付孔３３に圧入又は接着などにより固着される構造となっている。
また、可動部材３１には、操作ボタン４０の取付部４２を取り付けるための取付孔３４が形成されると共に、筒状基端部２１に固着される固定軸１５を取り付けるための取付孔３５が形成されている。
【００１５】
操作ボタン４０は、釦部４１と取付部４２とを有し、取付部材４２を化粧料塗布本体部１０の操作孔１２を通し、可動部材３１の取付孔３４に圧入又は接着などにより固着されて、操作ボタン４０と可動棒３０の可動部材３１は連結される。
弾性部材５０は、リング状の弾性特性を有するゴム材やエラストマー等の弾性部材からなり、固定棒２０と可動棒３０の後方側、両軸の交点（固定軸１５）近傍に装着され、常時、固定棒２０と可動棒３０を閉じる構成となっている。
【００１６】
本実施形態の化粧料塗布具Ａでは、先端に塗布体２２，３２を有する固定棒２０及び可動棒３０は操作ボタン４０及び弾性部材５０により固定軸１５を中心に可動棒３０が固定棒２０に対して可動し開閉自在となるものである。更に詳述すれば、図１に示すように、上記操作ボタン４０を押圧すると、操作ボタン４０に連結された可動棒３０は、弾性部材５０に抗して固定軸１５を中心にある範囲内で可動、即ち、固定棒２０に対して開き、塗布体２２，３２の間に空間ができる。この状態にて、塗布体２２，３２の間に塗布対象となるマツゲ等を入れる。そして、操作ボタン４０の押圧操作を止めれば（離すことにより）、可動棒３０は弾性部材５０の弾性特性により閉じ、固定棒２０との平面同士（ブラシ部材同士）が組合わさりマツゲ等を挟んだ状態となる。この状態にて、塗布体２２，３２を梳くことにより十分な量のマスカラ等の化粧料を均一に一定方向へ塗布することを可能とする。
なお、可動棒３０が開く角度αは、弾性部材５０の弾性力、筒状基端部２１の開口面積２１ａにより、適宜設定でき、本実施形態では、開く角度は５°となっている。
従って、このように構成される本実施形態の化粧料塗布具Ａでは、塗布体２２，３２に流動性を有するマスカラ等の化粧料を付着せしめ、操作ボタン４０を押圧操作すれば、可動棒３０が固定棒２０に対して開くので、可動棒２０及び固定棒３０の先端に有するブラシ部材２２ａ，３２ａからなる各塗布体２２，２３間に、塗布対象物となるマツゲ等を挟み込むため、挟み込んだ時点から塗布することができると共に、梳くときにマスカラ等の化粧料はダマにならずに梳くことができ、しかも、全体に均一な化粧料を同一方向へ満足しうる量を塗布することができることとなる。
【００１７】
また、本実施形態における各塗布体２２（又は３２）は、図２（ａ）に示すように、針金等の線状部材２２ｃに毛等のブラシ片２２ｄを挟持し、これを撚って多数のブラシ部を有する塗布体としたものであるが、被塗布対象物に塗布できるものであれば、特に塗布体の構造は限定されるものでない。
更に、本実施形態では、図２（ｂ）に示すように、可動棒２０と固定棒３０は、共に断面が半円形形状の棒体から構成しているので、操作ボタン４０の非操作時には可動棒２０と固定棒３０とは断面が円形形状に組み合わさる構成となるため、纏まり感があり、操作性、小型化に優れた構成となっている。なお、操作ボタン４０の非操作時に可動棒２０と固定棒３０との断面が円形形状に組み合わさる構成となるものであれば、各可動棒２０及び固定棒３０の断面形状は特に限定されず、例えば、図２（ｃ）に示すように一方の断面が半円に台形形状の凸部を有する断面形状２０ａと、他方の断面形状が２０ａの断面形状に対応する凹部を有する断面形状３０ａとからなる組み合わせ、図２（ｄ）に示すように一方の断面が半円と半円形形状の凸部を有する断面形状２０ｂと、他方の断面形状が２０ｂの断面形状に対応する凹部を有する断面形状３０ｂとからなる組み合わせ、図２（ｅ）に示すように一方の断面が半円と三角形形状の凸部を有する断面形状２０ｃと、他方の断面形状が２０ｃの断面形状に対応する凹部を有する断面形状３０ｃとからなる組み合わせであってもよいものである。
【００１８】
図３は、本発明の塗布容器の実施形態の一例を示す縦断面図である。
本実施形態の塗布容器Ｂは、流動性を有するマスカラ等の化粧料５５を収容する容器本体６０と、図１に示した上記構成の化粧料塗布具Ａとを備え、該化粧料塗布具Ａの化粧料本体部１０の蓋部１４を容器本体６０の開口部に取り付け自在にしてなることを特徴とするものである。
容器本体６０は、有底筒状体となっており、上端首部６０ａに開口部が形成されている。首部６０ａの外周面には、化粧料本体部１０の蓋部１４を着脱自在に取り付けるための螺合部６０ｂが形成されている。この容器本体６０内には、マスカラ液、染毛剤液等の流動性を有する化粧料が収容される構成となっている。容器本体６０は、不透明体又は視認性を有するもの（透明体、半透明体）とすることができ、その材料としては、特に限定されず、例えば、アルミニウムなどの金属材、ＰＰ、ＰＥ、ＰＥＴ、ＰＢＴ、ＰＯＭ等の合成樹脂材などが挙げられる。
一方、化粧料本体部１０の蓋部１４は、容器本体６０の首部６０ａを螺合する筒状体となっており、その内周面には螺合部１４ａが形成されている。
【００１９】
また、本実施形態では、容器本体６０内には、可動棒２０及び固定棒３０の先端に設けられた各塗布体２２，３２を容器本体６０から引き出す際に各塗布体２２，３２に付着している塗布液量を調節する筒状のしごき体７０が容器本体６０の首部６０ａ内に取り付けられている。
しごき体７０は、弾性材料又は可撓性材料により略筒状に成形され、図２に示すように、上端部にフランジ部７１を有すると共に、該フランジ部７１の下方外周面は容器本体６０の首部６０ａの内周面と嵌合する嵌合面部７２となっており、この嵌合面部７２から下部に向かって徐々に縮径されると共に、下部から末端部（最下端部）に向かって徐々に拡径される形状となっている。このしごき体７０において、縮径された狭小部がしごき部７３となっている。また、末端部の拡径された部分（直径Ｒ１）は、塗布部２２，３２が合わされた外径（ｒ）より大きく外形方向に拡径した（Ｒ１＞ｒとなる）拡径部７４となっている。
【００２０】
このしごき体７０の材料としては、ＳＢＲ、ＢＲ、ＣＲ、ＮＢＲ、ＩＩＲ、ＥＰＭ、ＥＰＤＭ、ＦＫＭ、シリコーンゴムなどの各種ゴム、ＡＢＳ、ＰＰ、ＰＥ、ＰＳなどの合成樹脂、並びに、これらのエラストマー材料などが挙げられ、好ましくは、耐内容液性やコストの点から、ＮＢＲ又はオレフィン系エラストマーから構成されるものが望ましい。
このしごき体７０は、図３に示すように、容器本体６０の首部６０ａ内に嵌合せしめることにより容器本体６０に取り付けられる構造となっている。
また、本実施形態では、容器本体６０に取り付けた場合に化粧料の揮発成分が化粧料塗布具Ａから揮発するのを防止する点から、ゴム等の弾性部材からなるシール部材６５が弾性部材６０の後方側に装着されている。シール部材６５は、固定棒２０及び可動棒３０に密着する筒状部６５ａと湾曲部６５ｂとフランジ部６５ｃとから構成されている。
【００２１】
このように構成される塗布容器Ｂでは、不使用時又は収納時は容器本体６０に化粧料塗布具Ａの蓋部１４が螺合（又は嵌合）し、シール部材６５によりシールされているので優れたシール性能を有するものとなる。また、この状態で塗布体２２，３２には容器本体６０内に収容されるマスカラ等の化粧料５５が付着される。
容器本体６０から化粧料塗布具Ａを取り出す際には、塗布体２２，３２には容器本体６０内の化粧料５５が付着され、容器本体６０の首部６０ａ内に嵌合されているしごき体８０を介し、塗布体２２，３２に付着した余分な化粧料はしごかれる。本実施形態では、しごき体８０の末端部の形状が、図２に示すように、塗布部２２，３２の外径（ｒ）より大きく外形方向に拡径した（Ｒ１＞ｒとなる）拡径部７４とすることにより、塗布部２２，２３をしごき体７０から引き抜き際等であってもしごき体７０はブラシ部材２２ａの隙間に食い込むことがなく、抜き差し時にブラシ部材２２ａの破断や、抜き取れない状態になることがなく、しかも、抜き差し時にしごき部７３にブラシ部材２２ａの外周が接触することによりブラシ部材２２ａに付着している余分な化粧料をしごく（掻き落す）ことができると共に、固定棒２０及び可動棒３０に付着した化粧料を掻き落すことにより、塗布体２２，３２に適量に付着した化粧料を容器本体６０からスムーズに引き上げることができるものとなる。
容器本体６０から取り出した化粧料塗布具Ａは、上述の如く、二つの塗布体により塗布対象物となるマツゲ、毛髪等を挟み込むため、挟み込んだ時点から塗布することができると共に、梳くときに化粧料はダマにならずに梳くことができ、しかも、全体に均一な化粧料を同一方向へ満足しうる量を塗布することができるものとなる。
また、本発明の塗布容器は、上述の如く、優れた塗布性能を有する化粧料塗布具を備えると共に、携帯性に優れる塗布容器が得られるものとなる。
【００２２】
図４〜図５は、本発明の化粧料塗布具の実施形態の他例を示すものであり、図４は、二本の塗布棒を共に可動棒とした実施形態であり、図４（ａ）は化粧料塗布具の非操作時の縦断面図、図４（ｂ）は操作時の縦断面図、図５は、操作ボタン部分の横断面図である。なお、図１に示す化粧料塗布具Ａと同様の構造は同一符号を付してその説明を省略する。
本実施形態の化粧料塗布具Ｃは、二本の塗布棒を共に可動棒としたものであり、図４（ａ）及び（ｂ）に示すように、円筒状の化粧料塗布本体部１０と、該化粧料塗布本体部１０に固定軸１５ａに取り付けられた先端に塗布体を有する可動棒３０ａ，３０ａと、該可動棒３０ａ，３０ａの他端に連結された操作ボタン４５、４６と、上記可動棒３０ａ，３０ａを閉じる弾性部材５０とを有する構成となっている。また、本実施形態では、化粧料塗布本体部１０の後方側の上方部及び下方部に操作ボタン４５，４６を操作するための操作孔１２ａ，１２ａが形成されている。
また、可動棒３０ａ，３０ａは、固定軸１５ａを介して交差し、後端側に夫々可動部材３１ａ，３１ａを一体に有している。この可動部材３１ａ，３１ａには、操作ボタン４５，４６を取り付けるための取付孔３１ｂ、３１ｂが形成されている。
本実施形態の操作ボタン４５には、図５に示すように、釦部４５ａと筒状の開口部４５ｂとを有している。また、操作ボタン４６には、釦部４６ａと軸部４６ｂとを有し、該軸部４６ｂは上記他方の操作ボタン４５の筒状の開口部４５ｂ内に遊嵌する構造となっている。
【００２３】
このように構成される二本の塗布棒を共に可動棒とした本実施形態の化粧料塗布具Ｃでは、先端に塗布体３２，３２を有する可動棒３０ａ，３０ａは操作ボタン４５，４６及び弾性部材５０により固定軸１５ａを中心に可動棒３０ａ，３０ａが固定棒１５ａに対してぞれぞれ可動し開閉自在となるものである。更に詳述すれば、図４に示すように、上記操作ボタン４５，４６を押圧すると、操作ボタン４５，４６に連結された可動棒３０ａ，３０ａは、弾性部材５０に抗して固定軸１５ａを中心にある範囲内で可動、即ち、開き、塗布体３２，３２の間に空間ができる。この状態にて、塗布体３２，３２の間に塗布対象となるマツゲ等を入れる。そして、操作ボタン４５，４６の押圧操作を止めれば（離すことにより）、各可動棒３０ａ，３０ａは弾性部材５０の弾性特性により閉じ、可動棒３０ａ，３０ａとの平面同士（ブラシ部材同士）が組合わさりマツゲ等を挟んだ状態となる。この状態にて、塗布体３２，３２を梳くことにより十分な量のマスカラ等の化粧料を均一に一定方向へ塗布することを可能とする。なお、可動棒３０ａ，３０ａ同士が開く角度αは、５°となっている。
従って、このように構成される本実施形態の化粧料塗布具Ｃでは、塗布体３２，３２に流動性を有するマスカラ等の化粧料を付着せしめ、操作ボタン４５，４６を押圧操作すれば、可動棒３２，３２が開くので、各可動棒３２の先端に有するブラシ部材３２ａ，３２ａからなる各塗布体３２，３３間に、塗布対象物となるマツゲ等を挟み込むため、挟み込んだ時点から塗布することができると共に、梳くときにマスカラ等の化粧料はダマにならずに梳くことができ、しかも、全体に均一な化粧料を同一方向へ満足しうる量を塗布することができることとなる。
また、本実施形態の化粧料塗布具Ｃは、上記化粧料塗布具Ａと同様に、図２に示す構造の塗布容器として使用することができる。
【００２４】
図６及び図７は、それぞれ本発明の化粧料塗布具の更に他の実施形態の各例を示すものであり、共に、（ａ）は、非操作時の縦断面図、（ｂ）は操作時の縦断面図である。なお、図１に示す化粧料塗布具Ａと同様の構造は同一符号を付してその説明を省略する。
図６（ａ）及び（ｂ）に示す化粧料塗布具Ｄは、固定棒２０及び可動棒３０の先端に設けられた各塗布体２２，３２の一方が断面三角形形状となる凹凸部材から構成される塗布部２２ｃから構成され、他方がブラシ部材３２ｃから構成される点でのみ、上記実施形態の化粧料塗布具Ａと相違するものであり、化粧料塗布具Ａと同様に使用に供され、優れた塗布性能を発揮するものとなる。
また、図７（ａ）及び（ｂ）に示す化粧料塗布具Ｅは、可動棒３０及び固定棒２０の先端に設けられた各塗布体２２，３２が共に断面三角形形状となる凹凸部材から構成される塗布部２２ｄ，３２ｄから構成される点でのみ、上記実施形態の化粧料塗布具Ａと相違しるものであり、化粧料塗布具Ａと同様に使用に供され、優れた塗布性能を発揮するものとなる。
これらの各実施形態の化粧料塗布具Ｄ，Ｅでは、マツゲにカールを掛けることが更に容易にできるなどの効果を発揮することができるものとなる。なお、上述の化粧料塗布具Ａと同様に、化粧料塗布具Ｄ，Ｅも図２に示す構造の塗布容器とすることができる。
【００２５】
本発明の化粧料塗布具、塗布容器は、上述の如く構成されるものであるが、上記各実施形態に限定されるものではなく、本発明の技術思想の範囲内で種々変更することができるものである。
上記実施形態において、二本の塗布棒を共に可動棒とした図４及び図５に示す化粧料塗布具Ｃにおいて、塗布体３２を図６又は図７に示した塗布体に変更しても良いものである。
また、上記実施形態において、塗布容器は特にマスカラ用に好ましく適用することができるが、塗布体、塗布容器等のサイズを大きくし、化粧料として液状染毛剤等を用いれば、毛髪用（毛染め用）の化粧料塗布具、塗布容器としても好適に実施することができるものである。
更に、上記実施形態において、化粧料塗布具の蓋部を容器本体の首部に螺合により取り付けたが、嵌合により取り付けてもよいものであり、更に、適当な嵌着による取り付け方法などを採用しても良いものである。
更にまた、塗布体をブラシ部材や凹凸部材の他、金属製や合成樹脂製のコイル状スプリング部材からなる塗布体としても良く、また、パフ体からなる塗布体としてもよいものである。
【図面の簡単な説明】
【００２６】
【図１】本発明の化粧料塗布具の実施形態の一例を示すものであり、操作時の縦断面図である。
【図２】（ａ）は、図１の塗布体を説明する概略横断面図、（ｂ）〜（ｅ）は、操作ボタンの非操作時の固定棒と可動棒の各断面形状を示す各横断面図である。
【図３】本発明の塗布容器の実施形態の一例を示す縦断面図である。
【図４】本発明の化粧料塗布具の実施形態の他例を示すものであり、（ａ）は、非操作時の縦断面図、（ｂ）は操作時の縦断面図である。
【図５】図４における操作ボタン部分の横断面図である。
【図６】本発明の化粧料塗布具の実施形態の他例を示すものであり、（ａ）は、非操作時の縦断面図、（ｂ）は操作時の縦断面図である。
【図７】本発明の化粧料塗布具の実施形態の他例を示すものであり、（ａ）は、非操作時の縦断面図、（ｂ）は操作時の縦断面図である。
【図８】（ａ）は、従来の化粧料塗布具の要部の一例を示す平面図、（ｂ）は従来の化粧料塗布具の要部の他例を示す縦断面図である。
【図９】従来の頭髪用化粧料塗布具の一例を示すものであり、（ａ）は操作時の側面、（ｂ）は操作時の縦断面図である。
【符号の説明】
【００２７】
Ａ  化粧料塗布具
Ｂ  塗布容器
１０  化粧料塗布本体部
２０  固定棒
２２  塗布体
３０  可動棒
３２  塗布体
４０  操作ボタン
５０  弾性部材
６０  容器本体
７０  しごき体
【図１】
2007020793.tif 000003
【図２】
2007020793.tif 000004
【図３】
2007020793.tif 000005
【図４】
2007020793.tif 000006
【図５】
2007020793.tif 000007
【図６】
2007020793.tif 000008
【図７】
2007020793.tif 000009
【図８】
2007020793.tif 000010
【図９】
2007020793.tif 000011